(57)【要約】【課題】追記録画をしてファイルシステムを更新する場合に、ストリームデータの先頭までに更新後のファイルシステムが収まらない場合であっても、ファイルシステムを更新できる光ディスク装置を提供することである。【解決手段】光ディスク装置は、追記録画をしてファイルストラクチャーを更新する際、更新後のファイルストラクチャーの容量を求め、パーティションの先頭からストリームデータの先頭までの容量と、求めた更新後のファイルストラクチャーの容量とを比較し、求めた更新後のファイルストラクチャーの容量の方が小さい場合は、更新前のファイルストラクチャーに更新後のファイルストラクチャーを上書きし、求めた更新後のファイルストラクチャーの容量の方が大きい場合は、ストリームデータの後ろに更新後のファイルストラクチャーを作成する構成とする。【選択図】図５
2007234139.tif 000002
【特許請求の範囲】
【請求項１】
ボリュームストラクチャーとファイルストラクチャーとからなるファイルシステムにより管理される書き換え可能な光ディスクに書き込みする光ディスク装置において、
追記録画をしてファイルストラクチャーを更新する際、
更新後のファイルストラクチャーの容量を求め、
パーティションの先頭からストリームデータの先頭までの容量と、求めた更新後のファイルストラクチャーの容量とを比較し、
求めた更新後のファイルストラクチャーの容量の方が小さい場合は、更新前のファイルストラクチャーに更新後のファイルストラクチャーを上書きし、
求めた更新後のファイルストラクチャーの容量の方が大きい場合は、ストリームデータの後ろに更新後のファイルストラクチャーを作成することを特徴とする光ディスク装置。
【請求項２】
ファイルシステムにより管理される書き換え可能な光ディスクに書き込みする光ディスク装置において、
追記録画をしてファイルシステムを更新する際に、ストリームデータの先頭までに更新後のファイルシステムが収まらない場合、更新後のファイルシステムの一部をストリームデータの後ろに作成することを特徴とする光ディスク装置。
【請求項３】
ボリュームストラクチャーとファイルストラクチャーとからなるファイルシステムにより管理される書き換え可能な光ディスクに書き込みする光ディスク装置において、
追記録画をしてファイルストラクチャーを更新する際に、パーティションの先頭からストリームデータの先頭までの間にファイルストラクチャーが収まらない場合、更新後のファイルストラクチャーをストリームデータの後ろに作成することを特徴とする光ディスク装置。
【発明の詳細な説明】
【技術分野】
【０００１】
本発明は、ファイルシステムにより管理される書き換え可能な光ディスクに書き込みする光ディスク装置に関する。
【背景技術】
【０００２】
近年、家庭でのテレビ放送の録画媒体や映画などの映像記録媒体としては、ビデオテープに代わりＤＶＤ等の光ディスクが用いられるようになっている。光ディスクは記録したデータファイルへのアクセスを容易にするため、データをファイル形式で記録している。この際、これらのデータファイルを管理するために、一般的にファイルシステムと呼ばれる管理方法を用いている。ＤＶＤではＵＤＦ（Universal Disc Format）と呼ばれるファイルシステムが広く用いられている。
【０００３】
そしてＤＶＤへの記録フォーマットは、ビデオレコーディングフォーマット（以下、ＶＲフォーマットと記す）とビデオフォーマットの２つが規定されている。ＶＲフォーマットは論理的な記録フォーマットとしてＵＤＦ２．０規格に基づくボリューム情報とファイルシステム情報により、記録されるユーザ情報が管理されるようになっており、実時間に沿って情報本体（VR_MOVIE.VROファイル）及び再生制御情報（VR_MANGR.IFOファイル）が生成され、それらが独立したファイルとして記録されるため、テレビ放送などの実時間に沿って記録するのに適した記録フォーマットである。この記録方式では、映像などの情報をユーザが記録したとき、そのユーザが記録した情報を管理するためのファイルストラクチャーが頻繁に書き換えられる。また、必要に応じてボリュームストラクチャーも書き換えられる。そのためボリュームストラクチャーとファイルストラクチャーを使って、記録した情報を再生することが可能である。
【０００４】
これに対して、ビデオフォーマットは論理的な記録フォーマットとしてＵＤＦブリッジが使用され、ファイナライズすると再生専用のＤＶＤと同じフォーマットになる記録フォーマットで、記録すべき情報の再生態様を制御するための再生制御情報（ＤＶＤの規格ではナビゲーション情報と呼ぶ）を情報本体（コンテンツ）との対応関係を考慮しつつ作成し、作成した再生制御情報とその再生制御情報に対応する情報本体とをまとめて、光ディスク上に記録しなければならない。そのため、この記録方式はテレビ放送などの実時間に沿った記録に適した記録フォーマットではない。
【０００５】
例えばＤＶＤ−ＲＷは、２つの記録フォーマットに対応し、書き換え可能な記録媒体のため、同一フォーマット上で、記録、消去を行うこともできるし、同一フォーマットに初期化、或いは別のフォーマットに初期化することも可能である。
【０００６】
また、各フォーマットに対応した装置間であれば、１枚のディスクを複数の装置で使用することもできる。このようなファイルシステムの互換性に関しては様々な技術が開示されている。
【０００７】
例えば、特許文献１には、データストリームの各フラグメントに１又は複数の追加データフィールドを挿入する手段と、これら追加データフィールドのうちの少なくとも１つにファイルシステム情報を挿入する手段とを含む、データを記録する装置が開示されている。
【０００８】
また例えば、特許文献２には、複数種類のファイルシステムのうちサポートの必要がない少なくとも１つのファイルシステムに対応するファイル管理情報部にダミー情報を設定する工程を含むイメージデータ作成方法が開示されている。
【０００９】
また例えば、特許文献３には、決定されたディレクトリの内、直接ＰＣ上でユーザが取り扱うことがないものをＰＣ用ファイルシステムのパスに付け替えることで統合的なインターフェースを構築することが可能となるファイル管理方法が開示されている。
【００１０】
また例えば、特許文献４には、書換可能領域に、再生専用領域のファイル・ディレクトリへのリンク情報のファイル構造データ部を設けたことを特徴とし、この構成によって、再生専用領域上のデータのみがマウントされる状態にすることができるため、容易かつ迅速に初期化することができる方法が開示されている。
【特許文献１】特開２００５−１２９２１７号公報
【特許文献２】特開２００５−１０００９５号公報
【特許文献３】特開２００５−３２２８３号公報
【特許文献４】特開２００４−３６２６７７号公報
【発明の開示】
【発明が解決しようとする課題】
【００１１】
しかしながら、ＤＶＤ−ＲＷなどの書き換え可能な光ディスクをメーカーが異なる装置間で使用する場合、ファイルシステムにメーカー独自のファイル（例えば、タイトルリストのファイル）やディレクトリが記録されていると、追記録画した際に元のメーカー独自のファイルやディレクトリは追記できないため、互換性がなくなり、再度、元のメーカーの装置で読み取ることができなくなることがある。
【００１２】
そこで、他のメーカーの光ディスク装置で録画された光ディスクに、自社の光ディスク装置で追記録画する場合は、ファイルシステムを自社のものに書き換えることが行われている。このとき、ストリームデータの先頭までに更新後のファイルシステムが収まらないことがある。つまり、元のファイルシステムよりも更新後のファイルシステムの容量が大きく、空き領域もないため、元のファイルシステムに上書きできないことがある。
【００１３】
そこで本発明は、追記録画をしてファイルシステムを更新する場合に、ストリームデータの先頭までに更新後のファイルシステムが収まらない場合であっても、ファイルシステムを更新できる光ディスク装置を提供することを目的とする。
【課題を解決するための手段】
【００１４】
上記目的を達成するために本発明は、ファイルシステムにより管理される書き換え可能な光ディスクに書き込みする光ディスク装置において、
追記録画をしてファイルシステムを更新する際に、ストリームデータの先頭までに更新後のファイルシステムが収まらない場合、更新後のファイルシステムの一部をストリームデータの後ろに作成することを特徴とする。
【００１５】
この構成によると、追記録画をしてファイルシステムを更新する場合に、ストリームデータの先頭までに更新後のファイルシステムが収まらない場合であっても、ファイルシステムを更新することができ、光ディスク装置でこのＤＶＤを再生することができる。
【００１６】
また本発明は、ボリュームストラクチャーとファイルストラクチャーとからなるファイルシステムにより管理される書き換え可能な光ディスクに書き込みする光ディスク装置において、
追記録画をしてファイルストラクチャーを更新する際に、パーティションの先頭からストリームデータの先頭までの間にファイルストラクチャーが収まらない場合、更新後のファイルストラクチャーをストリームデータの後ろに作成することを特徴とする。
【００１７】
この構成によると、追記録画をしてファイルストラクチャーを更新する際に、パーティションの先頭からストリームデータの先頭までの間にファイルストラクチャーが収まらない場合、更新後のファイルストラクチャーをストリームデータの後ろに作成することにより、ファイルストラクチャーを更新することができ、光ディスク装置でこのＤＶＤを再生することができる。
【００１８】
上記の本発明を具体化すると、ボリュームストラクチャーとファイルストラクチャーとからなるファイルシステムにより管理される書き換え可能な光ディスクに書き込みする光ディスク装置において、
追記録画をしてファイルストラクチャーを更新する際、
更新後のファイルストラクチャーの容量を求め、
パーティションの先頭からストリームデータの先頭までの容量と、求めた更新後のファイルストラクチャーの容量とを比較し、
求めた更新後のファイルストラクチャーの容量の方が小さい場合は、更新前のファイルストラクチャーに更新後のファイルストラクチャーを上書きし、
求めた更新後のファイルストラクチャーの容量の方が大きい場合は、ストリームデータの後ろに更新後のファイルストラクチャーを作成する構成となる。
【発明の効果】
【００１９】
本発明によれば、ストリームデータの先頭までに更新後のファイルシステムが収まらない場合であっても、ファイルシステムをストリームデータの後ろに作成することにより、他メーカーの装置でＶＲフォーマットされた書き換え可能な光ディスクを本光ディスク装置で追記する場合に、更新後のファイルシステムを書き込む容量が足りないという問題を解決することができる。また、他のメーカーの光ディスク装置でもこの光ディスクを読み込むことができ、互換性に問題はない。
【発明を実施するための最良の形態】
【００２０】
図１は、光ディスク装置の構成及びその周辺機器を示すブロック図である。光ディスク装置１０には、テレビ等の表示装置１１やビデオデッキ等の外部装置１２が接続される。また光ディスク装置１０は、リモコン１３によって操作可能である。以下、光ディスクとしてＤＶＤを例に説明する。
【００２１】
光ディスク装置１０は、テレビ放送信号を受信するアンテナ１５と、アンテナ１５で受信したテレビ放送信号を復調、デジタル化するチューナ１６と、チューナ１６から受け取った画像音声データをＭＰＥＧ２等に準拠して圧縮符号化したり、ＤＶＤ記録再生部１９で再生された圧縮された画像データを伸長復号したりする画像音声圧縮伸長部１７と、画像音声圧縮伸長部１７から受け取った圧縮された画像音声データを記録したり、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、光ディスク装置１０の各部を制御する制御部２６とを備えている。
【００２２】
また、制御部２６は、挿入されているＤＶＤをフォーマットする制御も行う。そのフォーマットはＶＲフォーマット又はビデオフォーマットのどちらにも対応している。
【００２３】
上記の光ディスク装置１０において、ユーザによりＤＶＤへの録画が指示された場合の録画動作について説明する。アンテナ１５で受信されたテレビ放送信号はチューナ１６で復調、デジタル化され、画像音声データが画像音声圧縮伸長部１７に送信される。画像音声圧縮伸長部１７は画像音声データをＭＰＥＧ２等に準拠して圧縮符号化し、ＤＶＤ記録再生部１９に送信し、ＤＶＤに圧縮された画像音声データを記録する。
【００２４】
次に、フォーマットの概要について説明する。まずＶＲフォーマットで使用するファイルであるＵＤＦ２．０について簡単に説明する。ＵＤＦ２．０は、ボリュームレベルの管理情報とファイルシステムレベルの管理情報に分かれている。アドレスの指定方法は２種類あり、１つは、ボリュームレベルの管理情報の先頭を０とするロジカルセクタナンバー（ＬＳＮ）と、ボリュームレベルの管理情報を除いたパーティション内のアドレスを指定するロジカルブロックナンバー（ＬＢＮ）がある。
【００２５】
図２に、ＶＲフォーマットのデータ構造の例を示す。ボリュームストラクチャーはＬＳＮ＝０〜８５７５までに記述され、ファイルストラクチャーはＬＳＮ＝８５７６〜８７３０までに記述される。これらボリュームストラクチャーとファイルストラクチャーとを合わせてファイルシステムと呼ぶ。
【００２６】
図３に、ファイルストラクチャーのデータ構造の例を示す。ファイルストラクチャーはパーティションの中に形成され、ＬＢＮ＝０×ＡＡにはストリームデータの位置を示すVR_MOVIE.VRO FEが、ＬＢＮ＝０×Ｂ０からとＬＢＮ＝０×Ｃ０からとには追記録画する毎に容量が増す再生制御情報であるVR_MANGR.IFO及びVR_MANGR.BUPが記述される。
【００２７】
次に、他メーカーの光ディスク装置を用いてＶＲフォーマットで録画されたＤＶＤ−ＲＷに、光ディスク装置１０で追記録画する手順について説明する。ファイルシステムはメーカー毎に独自のファイルやディレクトリが書き込まれているので、本発明の光ディスク装置１０で追記する場合は、ファイルシステムを自社のものに書き換える。
【００２８】
図４は、追記録画の手順を示すフローチャートである。ユーザにより追記録画の指示があると、ステップＳ１０において録画を開始し、ストリームデータを追記する。その後、ステップＳ１１へ進んで、録画の終了とともにストリームデータの書き込みを終了し、ステップＳ１２へ進んでファイルシステムの更新処理を行う。
【００２９】
図５は、図４のステップＳ１２の処理を詳しく説明するフローチャートである。まずステップＳ２０において、更新後のファイルストラクチャーの容量を求める。追記録画するとそれに伴う再生制御情報も必要となるので、更新後はファイルストラクチャー内のVR_MANGR.IFO及びVR_MANGR.BUPの容量が増加する。
【００３０】
ステップＳ２０からステップＳ２１へ進んで、パーティションの先頭からストリームデータの先頭までの容量と、ステップＳ２０で求めた更新後のファイルストラクチャーの容量とを比較する。
【００３１】
ステップＳ２１において、ステップＳ２０で求めた更新後のファイルストラクチャーの容量の方が小さい場合は、ステップＳ２２へ進んで更新前のファイルストラクチャーに更新後のファイルストラクチャーを上書きする。
【００３２】
一方、ステップＳ２１において、ステップＳ２０で求めた更新後のファイルストラクチャーの容量の方が大きい場合は、ステップＳ２３へ進んでストリームデータの後ろに更新後のファイルストラクチャーを作成し、ステップＳ２４へ進んで更新前のファイルストラクチャーの所定箇所に更新後のファイルストラクチャーの場所を記述する。
【００３３】
なお、ステップＳ２２やステップＳ２３で行うファイルストラクチャーの更新は、ファイルストラクチャー全体を書き直すものとする。従って、他メーカーの光ディスク装置を用いてＶＲフォーマットで録画されたＤＶＤ−ＲＷであっても、ファイルストラクチャー内にある独自のファイルは消去される。
【００３４】
このように、追記録画をしてファイルストラクチャーを更新する際に、パーティションの先頭からストリームデータの先頭までの間にファイルストラクチャーが収まらない場合、更新後のファイルストラクチャーをストリームデータの後ろに作成することにより、ファイルストラクチャーを更新することができ、光ディスク装置１０でこのＤＶＤを再生することができる。また、他のメーカーの光ディスク装置でもこのＤＶＤを読み込むことができ、互換性に問題はない。
【００３５】
上記の実施形態ではファイルストラクチャーを更新する場合について説明したが、本発明はファイルストラクチャーに限られるものではなく、ファイルシステム全体を更新する場合にも適用することができる。その場合は、追記録画をしてファイルシステムを更新する際に、ストリームデータの先頭までに更新後のファイルシステムが収まらない場合、更新後のファイルシステムの一部をストリームデータの後ろに作成する構成とする。
【００３６】
この構成によると、追記録画をしてファイルシステムを更新する場合に、ストリームデータの先頭までに更新後のファイルシステムが収まらない場合であっても、ファイルシステムを更新することができ、光ディスク装置１０でこのＤＶＤを再生することができる。また、他のメーカーの光ディスク装置でもこのＤＶＤを読み込むことができ、互換性に問題はない。
【産業上の利用可能性】
【００３７】
本発明は、ＤＶＤ−ＲＷ、ＤＶＤ＋ＲＷ、ＤＶＤ−ＲＡＭ等の書き換え可能な光ディスクをＶＲフォーマットする光ディスク装置に利用することができる。
【図面の簡単な説明】
【００３８】
【図１】光ディスク装置の構成及びその周辺機器を示すブロック図である。
【図２】ＶＲフォーマットのデータ構造の一例である。
【図３】ファイルストラクチャーのデータ構造の一例である。
【図４】追記録画の手順を示すフローチャートである。
【図５】図４のステップＳ１２の処理を詳しく説明するフローチャートである。
【符号の説明】
【００３９】
１０    光ディスク装置
【図１】
2007234139.tif 000003
【図２】
2007234139.tif 000004
【図３】
2007234139.tif 000005
【図４】
2007234139.tif 000006
【図５】
2007234139.tif 000007